(57)【要約】【課題】  管体内部に高い内水圧の負荷とその除荷とが繰り返されるような用途に適用される場合であっても、漏水が発生しないように閉塞したグラウトホールの水密試験を行って確実に閉塞する。【解決手段】  蓋体２で閉塞したグラウトホール１０の水密試験用治具３は、管体１００の内側から装着されて開口部１０１を覆って封止しうる覆蓋部材３１を有し、この覆蓋部材３１には止着穴３５および給水穴３４が設けられて、ホール形成部材１の試験治具固定穴１１ａに止着穴３５を介して止着具３８により締結されて、開口部１０１を塞ぐホール形成部材１および蓋体２と覆蓋部材３１との間に水密試験空間Ｗが形成されている。【選択図】  図２
2008303941.tif 000002
【特許請求の範囲】
【請求項１】
管体の開口部にホール形成部材が管体の外側から取り付けられることにより設けられたグラウトホールの閉塞構造であって、
前記ホール形成部材は、内面に雌ねじが形成されて前記開口部の内側にグラウトホールを構成する略円筒形状のボス部と、このボス部の外周縁に延設されて管体の外側に配設されたフランジ部とを備え、
前記ボス部のグラウトホールには、外周面に雄ねじが形成された蓋体が螺合されてグラウトホールを閉塞しており、ホール形成部材または蓋体には、管体の開口部を挟んでグラウトホールの水密試験用治具を管体の内側に配設固定するのに用いる試験治具固定穴が管体の内側方向のみに開口して形成されていることを特徴とするグラウトホールの閉塞構造。
【請求項２】
管体の開口部にホール形成部材が管体の外側から取り付けられることにより管体に設けられたグラウトホールを、蓋体で閉塞するとともに、前記開口部に管体の内側から水密試験用治具を取り付けて水密試験を行うグラウトホールの水密試験構造であって、
前記ホール形成部材は、内面に雌ねじを有しグラウトホールを構成する略円筒形状のボス部と、このボス部の外周縁に延設されたフランジ部とを備え、前記グラウトホールには外周面に雄ねじを有する蓋体が螺合されて閉塞されており、
前記ボス部の外径は開口部の内径よりも小さく形成されるとともに、前記フランジ部の内面の複数箇所に試験治具固定穴が設けられ、各試験治具固定穴がボス部の外周面と開口部の内周面との間に開口するように形成されて、
前記水密試験用治具は、管体の内側から装着されて開口部を覆って封止しうる覆蓋部材を有し、この覆蓋部材には止着穴および給水穴が設けられて、前記ホール形成部材の試験治具固定穴に止着穴を介して止着具により締結されて、開口部を塞ぐホール形成部材および蓋体と覆蓋部材との間に水密試験空間が形成されていることを特徴とするグラウトホールの水密試験構造。
【請求項３】
管体の開口部にホール形成部材が管体の外側から取り付けられることにより管体に設けられたグラウトホールを、蓋体で閉塞するとともに、前記開口部に管体の内側から水密試験用治具を取り付けて水密試験を行うグラウトホールの水密試験構造であって、
前記ホール形成部材は、内面に雌ねじを有しグラウトホールを構成する略円筒形状のボス部と、このボス部の外周縁に延設されたフランジ部とを備え、前記グラウトホールには外周面に雄ねじを有する蓋体が螺合されて閉塞され、この蓋体には管体の内側方向のみに開口する試験治具固定穴が設けられており、
前記水密試験用治具は、管体の内側から装着されて開口部を覆って封止しうる覆蓋部材を有し、この覆蓋部材には止着穴および給水穴が設けられて、前記ホール形成部材の試験治具固定穴に止着穴を介して止着具により締結されて、開口部を塞ぐホール形成部材および蓋体と覆蓋部材との間に水密試験空間が形成されていることを特徴とするグラウトホールの水密試験構造。
【請求項４】
前記覆蓋部材における管体内面との当接面には、外周縁部に沿って溝が形成されるとともに、この溝にシール部材が配設されて、前記水密試験空間を水密状態に保持することを特徴とする請求項２または３に記載のグラウトホールの水密試験構造。
【請求項５】
前記覆蓋部材の止着穴の内周面には、環状の溝が形成されるとともに、この溝にリング状のシール部材が配設されていることを特徴とする請求項２〜４のいずれかに記載のグラウトホールの水密試験構造。
【請求項６】
前記水密試験用治具は、さらに、覆蓋部材を管体の内側において支持するバックアップ部材を有し、このバックアップ部材は、管体の内側に配設される架台および覆蓋部材を管体内面に圧着させるジャッキ部を備えることを特徴とする請求項２〜５のいずれかに記載のグラウトホールの水密試験構造。
【請求項７】
管体の開口部にホール形成部材を管体の外側から取り付けることにより管体に設けたグラウトホールに、蓋体を螺合してこのグラウトホールを閉塞するとともに、管体の内側から水密試験用治具を開口部に取り付けて行うグラウトホールの水密試験方法であって、
前記水密試験用治具は、開口部を覆って封止しうる覆蓋部材を有し、この覆蓋部材には止着穴および給水穴が設けられており、
この覆蓋部材と、前記ホール形成部材またはグラウトホールに螺合した蓋体とを、前記止着穴を介して締結することにより、開口部を塞ぐホール形成部材および蓋体と覆蓋部材との間に水密状態で封止された水密試験空間を形成し、
前記給水穴から水密試験空間に給水して充填し、所定の圧力を加えることにより、閉塞したグラウトホールの水密試験を行うことを特徴とするグラウトホールの水密試験方法。
【発明の詳細な説明】
【技術分野】
【０００１】
本発明は、管体に設けられるグラウトホールの構造およびグラウトホールの水密試験方法に関し、さらに詳しくは、下水道などの既設管路が老朽化した場合にその老朽化した既設管路を有効利用しつつ新設管路を構築する管路更生工事において新設管路の外周に充填材を充填する際、あるいは、シールド二次覆工に使用される管体と一次覆工構造の間隙に充填材を充填する際などに好適に利用することのできる管体のグラウトホール構造およびグラウトホールの水密試験方法に関する。
【背景技術】
【０００２】
地中には種々の管路が敷設されており、特に、土管を用いた下水道用の管路は、長い年月が経過するに伴って下水により管の内面が腐食しやすい。下水管路においては、地下水が管内に浸透することや、流下する下水が地中に浸透することは好ましいものではない。このような点を考慮して、近年、劣化した管路を更生するための種々の工法が開発されている。
【０００３】
管路更生工法としては、例えば、老朽管路よりも小径の複数の新管を老朽管路内で順次接続していくパイプインパイプ工法が知られている。この工法において、新管を連結した後に、新設管路の外周面と既設管路の内周面との間にエアモルタル等の充填材を充填することが行われている。この充填作業は、一般に、管体の壁体に設けたグラウトホールを利用して行われており、そのグラウトホールは充填作業の終了後に閉塞される。
【０００４】
一方、道路や鉄道等のトンネルあるいは下水管渠築造用のトンネルなどを構築する工法としてシールド工法が一般に採用されている。シールド工法では、例えば、シールドマシンで地盤を掘進しつつ、シールドマシンの後方で、掘削部の周囲内壁面に沿ってセグメントを順次組み立てることによってトンネルの壁体を構築する一次覆工と、その一次覆工構造内に管体を敷設する二次覆工とを行っている。このようなシールド工法においても、二次覆工管体に設けたグラウトホールを利用して、二次覆工管体と一次覆工構造との間に充填材を充填している。
【０００５】
以上のような各工法に利用されるグラウトホールは、例えば、図７に示すように、管体１００の上部壁体に設けた貫通孔１００ａに、ホール形成部材４０１を嵌めこむことにより形成されている。この図７の構造においては、ホール形成部材４０１のグラウトホールＨの内面に雌ねじ４１１が形成されており、その雌ねじ４１１に噛み合う雄ねじ４２１が形成された閉塞用の蓋体４０２を用い、上記した充填作業が終了した後に、グラウトホールＨに蓋体４０２をねじ止めすることによりグラウトホールＨを閉塞する構造となっている。なお、このような蓋体４０２に形成されるねじとしては、通常、管用テーパーねじが用いられている。
【０００６】
しかしながら、図７に示すようなグラウトホールの閉塞構造では、グラウトホールに蓋体を単にねじ止めにて取り付けるだけの構造であるので、ねじ止め部分から地下水が管体内部に浸透することがある。これを解決する手段として、グラウトホールにねじ止めする蓋体とグラウトホールの周縁部とが当接する部分にシール部材を介在させることにより止水機能を高める技術が提案されている（例えば、特許文献１参照。）。
【特許文献１】特開２００１−２８９３５３号公報
【発明の開示】
【発明が解決しようとする課題】
【０００７】
ところで、今般、グラウトホールを適用する管路の用途は拡大しており、例えば貯留管や導水管などの内水圧が高い用途への利用も検討されている。
【０００８】
内水圧が高い管体にグラウトホールを適用する場合、グラウトホールが設けられた管体に高い内水圧の負荷とその除荷とが繰り返される状況となることがあり、そのような内水圧の負荷・除荷によっても漏水を生じさせないようにするには、管体のグラウトホールおよびこのグラウトホールを閉塞している蓋体において、十分な水密性を保持していることが求められていた。そこで、蓋体で閉塞したグラウトホールに十分な水密性が確保されているか否かを確認するために、適切な手法および治具を用いて水密試験を行うことが好ましい。
【０００９】
本発明は上記のような事情にかんがみてなされたものであり、管体内部に高い内水圧の負荷とその除荷とが繰り返されるような用途に適用される場合であっても、漏水が発生しないように閉塞したグラウトホールの水密試験を行って確実に閉塞することを可能にする、管体のグラウトホールの閉塞構造、グラウトホールの水密試験構造、および水密試験方法の提供することを目的としている。
【課題を解決するための手段】
【００１０】
上記した目的を達成するため、本発明は、管体の開口部にホール形成部材が管体の外側から取り付けられることにより設けられたグラウトホールの閉塞構造であって、前記ホール形成部材は、内面に雌ねじが形成されて前記開口部の内側にグラウトホールを構成する略円筒形状のボス部と、このボス部の外周縁に延設されて管体の外側に配設されたフランジ部とを備え、前記ボス部のグラウトホールには、外周面に雄ねじが形成された蓋体が螺合されてグラウトホールを閉塞しており、ホール形成部材または蓋体には、管体の開口部を挟んでグラウトホールの水密試験用治具を管体の内側に配設固定するのに用いる試験治具固定穴が管体の内側方向のみに開口して形成されていることを特徴とする。
【００１１】
また、前記目的を達成するため、本発明は、管体の開口部にホール形成部材が管体の外側から取り付けられることにより管体に設けられたグラウトホールを、蓋体で閉塞するとともに、前記開口部に管体の内側から水密試験用治具を取り付けて水密試験を行うグラウトホールの水密試験構造であって、前記ホール形成部材は、内面に雌ねじを有しグラウトホールを構成する略円筒形状のボス部と、このボス部の外周縁に延設されたフランジ部とを備え、前記グラウトホールには外周面に雄ねじを有する蓋体が螺合されて閉塞されており、前記ボス部の外径は開口部の内径よりも小さく形成されるとともに、前記フランジ部の内面の複数箇所に試験治具固定穴が設けられ、各試験治具固定穴がボス部の外周面と開口部の内周面との間に開口するように形成されて、前記水密試験用治具は、管体の内側から装着されて開口部を覆って封止しうる覆蓋部材を有し、この覆蓋部材には止着穴および給水穴が設けられて、前記ホール形成部材の試験治具固定穴に止着穴を介して止着具により締結されて、開口部を塞ぐホール形成部材および蓋体と覆蓋部材との間に水密試験空間が形成されていることを特徴とする。
【００１２】
また、本発明は、管体の開口部にホール形成部材が管体の外側から取り付けられることにより管体に設けられたグラウトホールを、蓋体で閉塞するとともに、前記開口部に管体の内側から水密試験用治具を取り付けて水密試験を行うグラウトホールの水密試験構造であって、前記ホール形成部材は、内面に雌ねじを有しグラウトホールを構成する略円筒形状のボス部と、このボス部の外周縁に延設されたフランジ部とを備え、前記グラウトホールには外周面に雄ねじを有する蓋体が螺合されて閉塞され、この蓋体には管体の内側方向のみに開口する試験治具固定穴が設けられており、前記水密試験用治具は、管体の内側から装着されて開口部を覆って封止しうる覆蓋部材を有し、この覆蓋部材には止着穴および給水穴が設けられて、前記ホール形成部材の試験治具固定穴に止着穴を介して止着具により締結されて、開口部を塞ぐホール形成部材および蓋体と覆蓋部材との間に水密試験空間が形成されていることを特徴とする。
【００１３】
かかる発明において、前記覆蓋部材における管体内面との当接面には、外周縁部に沿って溝が形成されるとともに、この溝にシール部材が配設されて、前記水密試験空間を水密状態に保持することを特徴とする。
【００１４】
さらに、前記覆蓋部材の止着穴の内周面には、環状の溝が形成されるとともに、この溝にリング状のシール部材が配設されていることが好ましい。
【００１５】
また、前記水密試験用治具は、さらに、覆蓋部材を管体の内側において支持するバックアップ部材を有し、このバックアップ部材は、管体の内側に配設される架台および覆蓋部材を管体内面に圧着させるジャッキ部を備えることが好ましい。
【００１６】
また、本発明は、管体の開口部にホール形成部材を管体の外側から取り付けることにより管体に設けたグラウトホールに、蓋体を螺合してこのグラウトホールを閉塞するとともに、管体の内側から水密試験用治具を開口部に取り付けて行うグラウトホールの水密試験方法であって、前記水密試験用治具は、開口部を覆って封止しうる覆蓋部材を有し、この覆蓋部材には止着穴および給水穴が設けられており、この覆蓋部材と、前記ホール形成部材またはグラウトホールに螺合した蓋体とを、前記止着穴を介して締結することにより、開口部を塞ぐホール形成部材および蓋体と覆蓋部材との間に水密状態で封止された水密試験空間を形成し、前記給水穴から水密試験空間に給水して充填し、所定の圧力を加えることにより、閉塞したグラウトホールの水密試験を行うことを特徴とする。
【００１７】
このような発明によれば、管体の開口部に設けたグラウトホールおいて、ホール形成部材および蓋体と覆蓋部材とに囲まれた水密試験空間を水密状態で良好に封止して形成することができ、水密試験を行うに足る止水効果をもたらすことができる。これにより、閉塞したグラウトホールの水密性の良否を確認することができ、管体の内側に高い内水圧が負荷しても閉塞したグラウトホールの信頼性を確保することが可能となる。
【発明の効果】
【００１８】
上述のように構成される本発明の管体のグラウトホールの閉塞構造、グラウトホールの水密試験構造、および水密試験方法によれば、管体内部に高い内水圧の負荷とその除荷とが繰り返されるような用途に適用される場合であっても、漏水が発生しないように閉塞したグラウトホールの水密試験を行って確実に閉塞することを可能にする。
【発明を実施するための最良の形態】
【００１９】
本発明に係る管体のグラウトホールの閉塞構造、グラウトホールの水密試験構造、および水密試験方法を実施するための最良の形態について、以下に図面を参照しつつ説明する。
【実施例１】
【００２０】
図１〜図４は本発明の実施例１を示し、図１はホール形成部材および蓋体を示す部分断面図、図２は閉塞したグラウトホールを示す管体の部分断面図、図３はホール形成部材の裏面側を示す平面図、図４は覆蓋部材の内接面側を示す平面図である。
【００２１】
まず、この実施例におけるホール形成部材１および蓋体２について図１を参照しつつ説明する。
【００２２】
ホール形成部材１は、グラウトホールを設ける管体１００の外周面に沿う形状に成形された正面円形のフランジ部１１と、このフランジ部１１の中央部に一体形成された略円筒形状のボス部１２とからなる。このボス部１２の中央はグラウトホール（貫通孔）１０となっており、このグラウトホール１０の内面には雌ねじ１３が形成されている。
【００２３】
また、フランジ部１１の外面側は、周縁部に向けて傾斜のついたテーパー状の断面形状とされることにより管体１００の外周面に沿うように形成されており、ボス部１２の内端面１２ａは傾斜のないフラットな面となっている。
【００２４】
さらに、かかるボス部１２の外径は、開口部１０１の内径よりも小さい大きさで形成されており、ホール形成部材１を開口部１０１に取り付けたとき、開口部１０１の内周面とボス部１２の外周面との間に空間が設けられるようになっている。
【００２５】
フランジ部１１の内面には、ボス部１２の外周面と開口部１０１の内周面との間に開口するように、二箇所に試験治具固定穴１１ａ、１１ａが設けられている（図３参照）。これらの試験治具固定穴１１ａ、１１ａは、図示されるように、フランジ部１１の外面側には到達せず、フランジ部１１の内面側（裏面側）のみに開口して形成された雌ねじである。
【００２６】
蓋体２は、中実円筒形状に形成され、グラウトホール１０内面の雌ねじ１３に螺合する雄ねじ２１が外周面に形成されている。また、蓋体２および蓋体２が螺合するグラウトホール１０は、管体１００の外周面方向に漸次縮径したテーパー状を互いになすように形成されている。これにより、蓋体２をグラウトホール１０に螺合させたときの螺合強度を高めて、強固に一体化させることが可能になる。
【００２７】
次に、ホール形成部材の使用形態とグラウトホールの閉塞構造の具体的な例を説明する。
【００２８】
管路更生工事において既設管路と新設の管体との間に充填材を充填する場合、あるいはシールド工法において二次覆工管体と一次覆工構造との隙間に充填材を充填する場合などにおいて、図１に示すように、管体１００の側壁（管体１００を寝かせた状態では上部壁）に設けられた開口部１０１に、ホール形成部材１を管体１００の外側から嵌め込み、開口部１０１にグラウトホール１０を設ける。ボス部１２の外周縁に延設されたフランジ部１１は、管体１００の外側に、開口部１０１の外周部を覆うように配設される。
【００２９】
このホール形成部材１の取り付けは、管体１００に設けられた開口部１０１にボス部１２を挿入し、ホール形成部材１を開口部１０１に対して位置決めした状態で、フランジ部１１の内面側を管体１００の外周面に、接着剤Ｓ等を用いて固着するという要領で行う。
【００３０】
そして、モルタル等の充填材の充填は、管体１００に取り付けたホール形成部材１のグラウトホール１０に、充填材注入用ホースの先端ねじ部を完全にねじ込んだ状態で、充填材をグラウトホール１０を通じて管体１００の外周部に注入するという手順で行う。
【００３１】
なお、この実施形態では、ホール形成部材１を、接着剤を用いて管体１００に固着しているが、これに限られず、ホール形成部材１をＦＲＰ１４にて管体１００の外周面にハンドレイアップ法で固着してもよい。また、管体１００の内水圧の条件によっては、接着剤とＦＲＰの両者を併用してホール形成部材１を管体１００に固着するようにしてもよい。
【００３２】
前記した充填材の注入が完了した後、充填材が硬化するのを待ってから、蓋体２をグラウトホール１０に回転させてねじ込み、完全に螺合させることにより、グラウトホール１０が閉塞される。
【００３３】
このように閉塞されたグラウトホール１０において、グラウトホール１０の取り付け、あるいはグラウトホール１０と蓋体２との一体性が不十分なときは、管体１００の内部に高い内水圧の負荷とその除荷が繰り返された場合、漏水して管体１００の流体が流出するおそれがあるので、ここで、グラウトホール１０に所定の水圧をかけて水密性の良否を試験する。
【００３４】
本実施例におけるグラウトホールの水密試験構造および水密試験方法は、図２に示すように、管体１００の開口部１０１に、管体１００の内側から水密試験用治具３を取り付けて水密試験を行うものである。
【００３５】
水密試験用治具３は、管体１００の内側から装着される覆蓋部材３１を有する。この覆蓋部材３１は、図４に示すように、開口部１０１の全体を覆って封止しうる矩形状に形成されて、管体１００の内面と当接する内接面３１ａには、開口部１０１の周縁部と対応する位置よりも外側に、覆蓋部材３１の外周縁部に沿うように溝３２が形成されている。そして、この溝３２には、止水性を確保するための弾性材料からなるシール部材３３が嵌め込まれている。
【００３６】
また、覆蓋部材３１には、そのほぼ中央に給水穴３４が、またこの給水穴３４の両側には間隔をあけて２つの止着穴３５、３５が、それぞれ他面側へ貫通して穿設されている。また、止着穴３５、３５の内周面には、この内周面に沿って環状に溝３６が形成されるとともに、この溝３６にリング状のシール部材３７が嵌め込まれている。
【００３７】
覆蓋部材３１の止着穴３５、３５は、ボルトあるいは長ねじ等の適宜の止着具３８を挿通させて、ホール形成部材１の試験治具固定穴１１ａ、１１ａとを締結するのに用いられる。すなわち、止着具３８は少なくとも試験治具固定穴１１ａに螺合する雄ねじを先端部に備え、基端部にナット等を螺合する雄ねじを備えて所定の長さで形成されている。そして、止着具３８を用いて、開口部１０１を塞いでいるホール形成部材１と覆蓋部材３１とを一体に締結することにより、管体１００の開口部１０１の内・外側が、ホール形成部材１および蓋体２と覆蓋部材３１とに囲まれて水密状態で封止された水密試験空間Ｗが形成されている。
【００３８】
このとき、覆蓋部材３１の各止着穴３５において、止着具３８との間にシール部材３７が圧潰されて配設されることになり、止水効果を達成できる。また、このようにホール形成部材１と覆蓋部材３１とを一体に締結することにより、覆蓋部材３１の内接面３１ａが管体１００の内面に圧接され、覆蓋部材３１の外周縁部に沿って配設されたシール部材３３も圧潰されて管体１００の内面に密着し、止水効果を発揮する。したがって、水密試験空間Ｗは、閉塞されたグラウトホール１０の水密性を確認するのに好ましい水密状態を保持することができている。しかも、ホール形成部材１と覆蓋部材３１とを止着具３５、３５により一体に締結しているので、水密試験空間Ｗ内に高い内水圧が負荷しても、その圧力により覆蓋部材３１がずれたり、外れたりすることがなく、水密性の良否を判定するのに好ましい止水性を確保し、所定の水密試験を実施することができる。
【００３９】
また、かかる水密試験構造としたグラウトホール１０において、覆蓋部材３１の給水穴３４に給水チューブを接続して給水し、水密試験空間Ｗ内を加圧水で充填することにより水密試験を行う。このとき、水密試験空間Ｗに加圧水を注入充填した状態で、圧縮負荷をかけ、ホール形成部材１および蓋体２と管体１００の開口部１０１との取付部分から、負荷した試験水圧を確認し、経過時間および漏水等の変化の有無を確認する。あるいは、覆蓋部材３１の給水穴３４から加圧空気を注入して、水密試験空間Ｗにおいて気密性を試験することによりグラウトホール１０の水密試験としてもよい。
【００４０】
以上のような試験を行うことにより、閉塞されたグラウトホール１０の水密性の良否を容易に判定することができ、またグラウトホール１０と蓋体２との結合（螺合）状態の良否、ゆるみの有無等についても知ることができる。
【００４１】
なお、ホール形成部材１と覆蓋部材３１と締結固定は、試験治具固定穴１１ａ、１１ａにあらかじめ止着具３８、３８の先端部を螺合させて固定させておき、各止着具３８を止着穴３５に挿通させる形で覆蓋部材３１を管体１００の内面にあてがい、ナット等を締め付ける要領で行うことで迅速かつ効率よく作業を進めることができる。もちろん、覆蓋部材３１を先に管体１００の内面にあてがって、試験治具固定穴１１ａ、１１ａにそれぞれ止着具３８，３８を止着穴３５、３５を介して結合するようにしてもよい。いずれの場合でも、両者を確実に結合することができ、水密性を保持することができる。
【実施例２】
【００４２】
次に、本発明の実施例２について、図面を参照しつつ説明する。図５は本発明の実施例２を示す部分断面図である。なお、この実施例２の形態では、前記実施例１とグラウトホール１０の基本構成は共通しており、水密試験装置３の覆蓋部材３１の取付構造が異なっているので、かかる部分について詳細に説明し、他の構成については上記実施例１と共通の符号を用いて説明を省略する。
【００４３】
この形態に係るホール形成部材１は、略円筒形状のボス部１２と、このボス部の外周縁に延設されたフランジ部１１とを備え、グラウトホール１０には外周面に雄ねじ１３を有する蓋体２が螺合されて閉塞される構成であって、水密試験用治具３の覆蓋部材３１を取り付けるための試験治具固定穴２２が、この蓋体２に形成されている。
【００４４】
すなわち、図５に示すように、蓋体２の裏面（管体１００の内側に面する面）２ａには、管体１００の内側方向のみに開口する雄ねじが設けられて試験治具固定穴２２となされている。この試験治具固定穴２２は、蓋体２の裏面２ａの中央部に１個穿設されている。
【００４５】
これに対し、水密試験用治具３の覆蓋部材３１は、止着穴３５が当該覆蓋部材３１のほぼ中央に、他面側へ貫通して穿設されている。そして、この止着穴３５の内周面には、この内周面に沿う環状の溝３６が形成されるとともに、この溝３６にリング状のシール部材３７が嵌め込まれている。
【００４６】
また、止着穴３５の両側には間隔をあけて２つの給水穴３４、３４が穿設されている。この場合、２つの給水穴３４、３４のうち、一方の穴３４は加圧水の給水に用い、他方の穴３４は抜水に用いることができる。
【００４７】
覆蓋部材３１は、止着穴３５からボルトあるいは長ねじ等の適宜の止着具３８を挿通させて、グラウトホール１０を閉塞している蓋体２の試験治具固定穴２２に締結され、一体に固定される。これにより、管体１００の開口部１０１において、ホール形成部材１および蓋体２と覆蓋部材３１とに囲まれて水密状態で封止された水密試験空間Ｗが形成される。
【００４８】
また、覆蓋部材３１の止着穴３５における止水効果は、止着具３８との間に配設されたシール部材３７が圧潰されることにより達成され、覆蓋部材３１の内接面３１ａが管体１００の内面に圧接されて、覆蓋部材３１の外周縁部に沿って配設されたシール部材３３も圧潰されて管体１００の内面に密着し、止水効果を発揮することになる。したがって、かかる形態のグラウトホール１０においても、水密試験空間Ｗは、水密性を確認するのに好ましい水密状態を保持することができている。しかも、ホール形成部材１と覆蓋部材３１とを止着具３８により一体に締結しているので、管体１００内に高い内水圧が負荷しても、その圧力により覆蓋部材３１が外れることはない。
【００４９】
なお、このように蓋体２と覆蓋部材３１とを締結して両者を固定する構造とする場合、試験治具固定穴２２にあらかじめ止着具３８を螺合させておき、その止着具３８に対して覆蓋部材３１の止着穴３５を締結するようにすることが好ましい。
【００５０】
また、上記いずれの実施例においても、水密試験用治具３として、さらに、覆蓋部材３１を管体１００の内側において支持するバックアップ部材４１およびバックアップ部材４１を管体１００の内側に配設する架台４２を用いて構成してもよい。図６は、バックアップ部材４１および架台４２を備える水密試験用治具３の一例を示す概略説明図である。
【００５１】
バックアップ部材４１は、管体１００の内面に立設される架台４２の上部に設けられており、先端部が覆蓋部材３１の外面３１ｂに当接されて、覆蓋部材３１を管体１００の内面に圧着させることができる。このバックアップ部材４１と架台４２との間には、ジャッキ部４３が設けられていてもよい。
【００５２】
これにより、グラウトホール１０を蓋体２で閉塞し、覆蓋部材３１を管体１００の内面に取り付けたのち、管体１００の内側に配設してあるバックアップ部材４１を覆蓋部材３１の外面３１ｂにあてがい、ジャッキ部４３を伸長させて覆蓋部材３１を押圧することが可能となる。したがって、水密試験空間Ｗに負荷をかけた際、覆蓋部材３１において管体１００の中心方向に作用する応力（反力）をバックアップ部材４１および架台４２によって負担することができ、蓋部剤３１がずれたり外れたりするのを防ぎ、安定した状態で水密試験を実施することが可能になる。
【産業上の利用可能性】
【００５３】
本発明は、下水道などの既設管路が老朽化した場合にその老朽化した既設管路を有効利用しつつ新設管路を構築する管路更生工事において新設管路の外周に充填材を充填する際、あるいは、シールド二次覆工に使用される管体と一次覆工構造の間隙に充填材を充填する際などに、管体に設けられるグラウトホールの水密試験を行うのに好適に利用することができる。
【図面の簡単な説明】
【００５４】
【図１】本発明の実施例１におけるホール形成部材および蓋体を示す部分断面図である。
【図２】実施例１において閉塞したグラウトホールを示す管体の部分断面図である。
【図３】実施例１におけるホール形成部材の裏面側を示す平面図である。
【図４】実施例１における覆蓋部材の内接面側を示す平面図である。
【図５】本発明の実施例２を示す部分断面図である。
【図６】本発明における水密試験用治具の一例を示す概略説明図である。
【図７】従来のグラウトホールの閉塞構造を示す断面図である。
【符号の説明】
【００５５】
１      ホール形成部材
１０    グラウトホール
１１    フランジ部
１１ａ  試験治具固定穴
１２    ボス部
１３    雌ねじ
２      蓋体
２１    雄ねじ
２２    試験治具固定穴
３      水密試験用治具
３１    覆蓋部材
３１ａ  内接面
３２    溝
３３    シール部材
３４    給水穴
３５    止着穴
３６    溝
３７    シール部材
３８    止着具
４１    バックアップ部材
４２    架台
４３    ジャッキ部
１００  管体
１０１  開口部
【図１】
2008303941.tif 000003
【図２】
2008303941.tif 000004
【図３】
2008303941.tif 000005
【図４】
2008303941.tif 000006
【図５】
2008303941.tif 000007
【図６】
2008303941.tif 000008
【図７】
2008303941.tif 000009